(57)【要約】【課題】  ペットボトルやビンなどの容器の注ぎ口に容易に取り付ける固定することができ、容器内に陥没することがなく、取り付けた状態でいままでの容器のキャップをそのまま用いることができ、液体を容器から注ぐ際に液体の流出が滑らかで、液体の流れが途切れてしゃっくり現象を起こすことがなく、液体が周囲に飛び散ったりすることを防ぐことが可能な注ぎ口器具の提供を目的とする。【解決手段】  容器の注ぎ口に係止される係止部１と、この係止部１の上縁に設けられ器具が容器内に脱落するのを防止する脱落防止耳２と、係止部１に固着され容器内部からの液体の流出路と容器外部からの空気流入路を分離する隔壁３と、この隔壁３の空気流入路側から開口を延長して容器内に繋げる空気流入管路４とを有することを特徴とする。【選択図】  図１
2006248568.tif 000002
【特許請求の範囲】
【請求項１】
ペットボトルやビンなどの容器の注ぎ口の開口部に取り付けられる注ぎ口器具であって、
前記容器の注ぎ口に係止される係止部と、この係止部の上縁に設けられ器具が前記容器内に脱落するのを防止する脱落防止耳と、前記係止部に固着され前記容器内部からの液体の流出路と前記容器外部からの空気流入路を分離する隔壁と、この隔壁の前記空気流入路側から開口を延長して容器内に繋げる空気流入管路とを有することを特徴とする注ぎ口器具。
【請求項２】
前記係止部は前記容器の注ぎ口の内壁に接してこの注ぎ口を押し開く方向の弾性力を有し、少なくとも前記容器注ぎ口の内壁の半周以上で注ぎ口内壁に密着することを特徴とする請求項1に記載の注ぎ口器具。
【請求項３】
前記空気導入管路は容器内側に沿って湾曲しその先端は前記容器の肩部の内側まで延びていることを特徴とする請求項１又は請求項２に記載の注ぎ口器具。
【請求項４】
前記空気導入管路の先端は前記容器の内壁側に開口が向かうように斜めに切断されていることを特徴とする請求項３に記載の注ぎ口器具。
【請求項５】
ペットボトルやビンなどの容器であって、
この容器の注ぎ口に連接して設けられ、前記容器内部からの液体の流出路と前記容器外部からの空気流入路を分離する隔壁と、この隔壁の前記空気流入路側から開口を延長して容器内に繋げる空気流入管路とを有する注出部を具備することを特徴とする容器。
【発明の詳細な説明】
【技術分野】
【０００１】
本発明は、注ぎ口器具及び容器に関し、特に、ペットボトルや瓶などの容器に取り付け可能な注ぎ口器具及び容器に関する。
【背景技術】
【０００２】
ペットボトルや瓶、缶などの容器から液体を注ぐ場合、注ぎ口の太さと液体の粘度などの兼ね合いで、液体が流出する際に注ぎ口を塞いでそのため容器内が負圧になってしまい、液体の流出が一旦止まって、排出した液体と略同じ量の空気を外部から吸い込んでから再び流出を再開するような現象が繰り返され、液体が少しずつ断続して流れ出す、いわゆるしゃっくり現象を起こす場合がある。このような現象が発生すると、液体を注ぎ出すのに時間がかかる上、液体が飛び散ったり、はねたりし、周囲を汚すなどの現象を生じることになる。
このような問題を解決するため、ペットボトルなどの注ぎ口にストローを保持する器具を取り付けて、この器具にストローを差し込むことで空気の通り路を確保する方法が提案されている（特許文献１参照。）。また、ペットボトルやビンの注ぎ口に３ｃｍ程度の管につけた止め具を取り付ける例が報告されている（特許文献２参照。）。
【特許文献１】特開２００５-４１５７０号公報
【特許文献２】特開２００２-２４９１３８号公報
【発明の開示】
【発明が解決しようとする課題】
【０００３】
しかしながら、以上に述べた従来例の内、特許文献１のストローを保持する器具を有するものでは、取り付けたストローが液体を流し始めると外れ易いという欠点がある。また、特許文献２の止め具を有するものは、ペットボトルやビンの注ぎ口からはみ出してしまうと、いままでの容器のキャップがそのまま用いることができず、注ぎ口からはみ出さないものは、止め具自身がボトルやビン内に落ち込んでしまう虞があった。
本発明は、このような問題を解決して、ペットボトルやビンなどの容器の注ぎ口に容易に取り付けて固定することができ、容器内に陥没することがなく、取り付けた状態でいままでの容器のキャップをそのまま用いることができ、液体を容器から注ぐ際に液体の流出が滑らかで、液体の流れが途切れてしゃっくり現象を起こすことがなく、液体が周囲にとび散ったりすることを防ぐことが可能な注ぎ口器具及びそのような注出部の構造が一体に成形された容器の提供を課題とする。
【課題を解決するための手段】
【０００４】
上記課題を解決するため、本発明の請求項1に記載の発明は、ペットボトルやビンなどの容器の注ぎ口の開口部に取り付けられる注ぎ口器具であって、前記容器の注ぎ口に係止される係止部と、この係止部の上縁に設けられ器具が前記容器内に脱落するのを防止する脱落防止耳と、前記係止部に固着され前記容器内部からの液体の流出路と前記容器外部からの空気流入路を分離する隔壁と、この隔壁の前記空気流入路側から開口を延長して容器内に繋げる空気流入管路とを有することを特徴とする。
【０００５】
上記課題を解決するため、本発明の請求項２に記載の発明は、請求項1に記載の注ぎ口器具において、前記係止部は前記容器の注ぎ口の内壁に接してこの注ぎ口を押し開く方向の弾性力を有し、少なくとも前記容器注ぎ口の内壁の半周以上で注ぎ口内壁に密着することを特徴とする。
【０００６】
上記課題を解決するため、本発明の請求項３に記載の発明は、請求項1又は請求項２に記載の注ぎ口器具において、前記空気導入管路は容器内側に沿って湾曲しその先端は前記容器の肩部の内側まで延びていることを特徴とする。
【０００７】
上記課題を解決するため、本発明の請求項４に記載の発明は、請求項３に記載の注ぎ口器具において、前記空気導入管路の先端は前記容器の内壁側に開口が向かうように斜めに切断されていることを特徴とする。
【０００８】
上記課題を解決するため、本発明の請求項５の発明は、ペットボトルやビンなどの容器であって、この容器の注ぎ口に連接して設けられ、前記容器内部からの液体の流出路と前記容器外部からの空気流入路を分離する隔壁と、この隔壁の前記空気流入路側から開口を延長して容器内に繋げる空気流入管路とを有する注出部を具備することを特徴とする。
【発明の効果】
【０００９】
本発明の注ぎ口器具はこのように構成されているので、ペットボトルやビンなどの容器の注ぎ口に容易に取り付ける固定することができ、容器内に陥没することがなく、取り付けた状態でいままでの容器のキャップをそのまま用いることができる。そして、これを取り付けることによって、液体を容器から注ぐ際に液体の流出が滑らかになり、液体の流れが途切れてしゃっくり現象を起こすことがなく、液体が周囲に飛び散ったりすることを防ぐことができる。
また、本発明の容器は以上のように構成されているので、注出部が上に位置するように容器から液体を注ぐと、液体の流出が滑らかになり、液体の流れが途切れてしゃっくり現象を起こすことがなく、液体が周囲に飛び散ったりすることを防ぐことができる。
【発明を実施するための最良の形態】
【００１０】
本発明を添付図面に添って詳細に説明する。
図１は、本発明の注ぎ口器具の外観図であり、図２は、本発明の注ぎ口器具をペットボトルやビンなどの容器に取り付けて液体を注ぎだしている状態を示したものである。
図１及び図２において、符号１は係止部、符号２は脱落防止耳、符号３は隔壁、符号４は空気流入管路、符号１０は本発明の注ぎ口器具、符号２０はペットボトルやビンなどの容器、符号２１は容器２０の注ぎ口、符号２２は容器２０の肩部である。
【００１１】
本発明の注ぎ口器具１０の係止部１は容器２０の注ぎ口２１に挿入できるような縦割りの円筒形に構成されており、注ぎ口２１に挿入した際に注ぎ口２１をその円周方向に押し開くように働く弾性を有している。これにより、容器２０の注ぎ口２１の径の変動にある程度対応することができ、種々の容器２０に対する汎用性に富んでいる。係止部１を注ぎ口２１に挿入した際、この係止部１は注ぎ口２１の内壁に少なくとも半周以上の部分で密着する。
係止部１の上縁には脱落防止耳２が設けられていて、係止部１を容器２０に挿入した際に、注ぎ口２１の周囲の縁上に引っかかるようになっているため、注ぎ口器具１０を押し込んでも容器２０内に脱落する虞はない。
【００１２】
係止部１には容器２０内部からの液体の流出路と容器２０外部からの空気の流入路を分離する隔壁3が設けられており、その空気流入路側から空気流入管路４が容器の内部に延びている。空気流入管路４は容器２０の内側に沿って湾曲するようになっており、その先端は容器肩部２２の内側に達している。空気流入管路４の先端は容器２０の内側に開口が向かうように斜めに切断されている。したがって、外部から容器２０の肩部２２への空気の流入は支障なく容易に行われる。隔壁3は係止部１に対して所定の曲率をもって湾曲した形状になっているので、容器２０の注ぎ口２１の径が小さいときでも、係止部１ともども容易に曲がって障害にならない。
【００１３】
この注ぎ口器具１０を容器２０内に挿入して係止部１を容器２０の注ぎ口２１に止め、容器２０をこの器具１０が取り付けられているほうを上になるように傾けると、隔壁３の上部の空気流入路側から空気流入管路４を通って空気が容器２０内に流れ込むと共に、容器２０内の液体が隔壁３の下側から安定した状態で連続して流れ出し、いわゆるしゃっくり現象が起きることがなく、液体が周囲に飛び散ったりすることがなく、液体は滑らかに流出する。
【００１４】
この注ぎ口器具１０を容器２０に取り付けた際に、脱落防止耳２の僅かな厚みを除いて大部分が容器２０内部に納まるので、取り付けた後で邪魔になることがなく、従来から用いているキャップをそのまま用いることができる。
【００１５】
本発明の注ぎ口器具１０はポリエチレン、ポリスチレン、ナイロンなどの熱可塑性プラスチックによって形成することができる。係止部１に弾性を持たせ、その長さを適当にすることにより、容器２０の注ぎ口２１の径の多少の変動に対応でき、種々の容器２０に共通に用いることができる。
【００１６】
本発明の注ぎ口器具１０はこのように構成されているので、これをペットボトルやビンなどの容器２０の注ぎ口２１に取り付けることによって、容器２０内の液体の流出を滑らかにすることができ、液体を注ぎ出すのに時間がかからず、いわゆるしゃっくり現象などによって液体が周囲に飛び散って汚すようなことがない。本発明の注ぎ口器具１０は係止部１の弾性によって径の異なる注ぎ口２１に容易に取り付けることができ、ある程度の汎用性を有している。また脱落防止耳２が設けられているので、容器２０内に脱落するような虞がない。またその脱落防止耳２の厚みが薄く、容器２０に取り付けた場合、それ以外の部分はすべて容器２０内に納まるので、注ぎ口器具１０を装着した後でももともと用いられていたキャップをそのまま使うことができる。また、この注ぎ口器具１０は軽量であり廉価に製造できるので、これを取り付けることによる利用者の負担は少ない。
【００１７】
以上の説明は注ぎ口器具に関して述べたが、容器を製造する際に、容器の注ぎ口にこの注ぎ口器具と同様な構造の注出部を一体に形成すると、同様な効果を有する容器を形成することができる。このような構成は、熱可塑性の樹脂などを材料として、金型を用いて比較的容易に製造することができるので、構造のわりに高価にはならず多量生産が可能である。
【産業上の利用可能性】
【００１８】
本発明の注ぎ口器具はペットボトルやビンなどの容器に用いることができるので、本発明の容器ともども、飲料水、果汁類、液体調味料、油、塗料、液体洗剤、薬品などの容器に用いることができ、広範囲の産業分野で利用することができる。
【図面の簡単な説明】
【００１９】
【図１】本発明の注ぎ口器具の外観図である。
【図２】本発明の注ぎ口器具をペットボトルやビンなどの容器に取り付けて液体を注ぎだしている状態を示した説明図。
【符号の説明】
【００２０】
１    係止部
２    脱落防止耳
３    隔壁
４    空気流入管路
１０  注ぎ口器具
２０  容器
２１  注ぎ口
２２  肩部
【図１】
2006248568.tif 000003
【図２】
2006248568.tif 000004
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
ペットボトルやビンなどの容器の注ぎ口の開口部に取り付けられる注ぎ口器具であって、
前記容器の注ぎ口の内壁に接してこの注ぎ口を押し開く方向の弾性力を有し、少なくとも前記容器注ぎ口の内壁の半周以上で注ぎ口内壁に密着して係止する係止部と、
この係止部の上縁に設けられ器具が前記容器内に脱落するのを防止する脱落防止耳と、
前記係止部に固着され前記容器内部からの液体の流出路と前記容器外部からの空気流入路を分離する隔壁と、
この隔壁の前記空気流入路側から開口を延長して前記容器の肩部の内壁側に沿って湾曲して延びその先端の開口が前記容器の肩部の内壁側に向かうように斜めに切断される空気流入管路とを有することを特徴とする注ぎ口器具。
【請求項２】
ペットボトルやビンなどの容器であって、
この容器の注ぎ口に連接して設けられ前記容器内部からの液体の流出路と前記容器外部からの空気流入路を分離する隔壁と、
この隔壁の前記空気流入路側から開口を延長して容器内に繋げる空気流入管路とを有する注出部と、
を一体に成形したことを特徴とする容器。
【手続補正２】
【補正対象書類名】明細書
【補正対象項目名】０００４
【補正方法】変更
【補正の内容】
【０００４】
上記課題を解決するため、本発明の請求項1に記載の発明は、ペットボトルやビンなどの容器の注ぎ口の開口部に取り付けられる注ぎ口器具であって、前記容器の注ぎ口の内壁に接してこの注ぎ口を押し開く方向の弾性力を有し、少なくとも前記容器注ぎ口の内壁の半周以上で注ぎ口内壁に密着して係止する係止部と、この係止部の上縁に設けられ器具が前記容器内に脱落するのを防止する脱落防止耳と、前記係止部に固着され前記容器内部からの液体の流出路と前記容器外部からの空気流入路を分離する隔壁と、この隔壁の前記空気流入路側から開口を延長して前記容器の肩部の内壁側に沿って湾曲して延びその先端の開口が前記容器の肩部の内壁側に向かうように斜めに切断される空気流入管路とを有することを特徴とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
上記課題を解決するため、本発明の請求項２の発明は、ペットボトルやビンなどの容器であって、  この容器の注ぎ口に連接して設けられ前記容器内部からの液体の流出路と前記容器外部からの空気流入路を分離する隔壁と、この隔壁の前記空気流入路側から開口を延長して容器内に繋げる空気流入管路とを有する注出部と、を一体に成形したことを特徴とする。